【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  地理的な位置情報と関連付けられるコンテンツである位置依存コンテンツと、前記位置依存コンテンツの地理的な位置を示す地理的位置情報および前記位置依存コンテンツのリンク先であるネットワーク位置情報を含むメタ情報コンテンツと、を有するサーバより、前記メタ情報コンテンツを収集するメタ情報コンテンツ収集部と、
前記メタ情報コンテンツの前記地理的位置情報に基づいて前記位置依存コンテンツの地理的な分布領域をメッシュ状のエリアに分割し、前記ネットワーク位置情報を含むコンテンツ情報に前記地理的位置情報をインデックスとして付加したコンテンツ情報ブロックを生成し、前記エリア毎に前記コンテンツ情報ブロックをまとめ、これに前記エリアの位置および形状を定義するエリア位置情報をインデックスとして付加したエリア情報ブロックを生成し、前記エリア情報ブロックを列挙した構造を持つリストコンテンツを生成するリストコンテンツ生成部と、
前記リストコンテンツを配信するリストコンテンツ配信部と、
を具備したことを特徴とするコンテンツ配信装置。
【請求項２】  前記リストコンテンツ生成部は、前記分布領域のメッシュ分割方法を規定するメッシュエリア定義を前記リストコンテンツに付加し、前記エリア位置情報を、前記メッシュエリア定義から算出可能なメッシュインデックス番号で記述することを特徴とする請求項１記載のコンテンツ配信装置。
【請求項３】  前記地理的位置情報は、前記位置依存コンテンツに関連する地理的な代表地点を示すコンテンツ代表地点と、前記位置依存コンテンツに関連する地理的な領域を示すコンテンツ存在領域と、前記位置依存コンテンツの地理的な配信範囲を示すコンテンツ配信領域とのいずれかを組み合わせた情報であることを特徴とする請求項１記載のコンテンツ配信装置。
【請求項４】  前記メタ情報コンテンツおよび前記コンテンツ情報は、前記位置依存コンテンツの種別を示すカテゴリ情報を含むことを特徴とする請求項３記載のコンテンツ配信装置。
【請求項５】  地理的な位置を示す地理的位置情報と関連付けられるコンテンツである位置依存コンテンツのリンク先であるネットワーク位置情報を含むコンテンツ情報に前記地理的位置情報をインデックスとして付加したコンテンツ情報ブロックを地理的なエリア毎にまとめ、これに前記エリアの位置および形状を定義するエリア位置情報がインデックスとして付加されているエリア情報ブロックを列挙した構造を持つリストコンテンツを受信するコンテンツ受信部と、
現在地点もしくは検索地点を示す地点位置情報を取得する位置情報取得部と、
前記地点位置情報を基準としてコンテンツの地理的な検索条件を設定し、前記検索条件と前記エリア定義情報とを比較することによって、検索対象となる前記エリア情報ブロックを絞り込み、さらに、前記検索条件と前記地理的位置情報とを比較することによって、前記リストコンテンツから、前記検索条件に合致する前記コンテンツ情報の一覧リストである局所領域リストコンテンツを生成するコンテンツ処理部と、
を具備したことを特徴とするコンテンツ受信装置。
【請求項６】  前記リストコンテンツは、前記位置依存コンテンツの地理的な分布領域をメッシュ状に分割する方法を定義したメッシュエリア定義を有し、
前記エリア位置情報は、前記メッシュエリア定義から算出可能なメッシュインデックス番号で記述されており、
前記コンテンツ処理部は、前記メッシュエリア定義を参照して、前記検索条件に合致するメッシュエリアの前記メッシュインデックス番号を求めることによって、検索対象となる前記エリア情報ブロックを絞り込み、さらに、前記検索条件と前記地理的位置情報とを比較することによって、前記リストコンテンツから前記局所領域リストコンテンツを生成することを特徴とする請求項５記載のコンテンツ受信装置。
【請求項７】  前記検索条件は、前記地点位置情報を基準として設定される地理的空間内の一点を示す関心地点、もしくは、前記地点位置情報を基準として設定される地理的空間内の領域を示す関心領域であることを特徴とする請求項６記載のコンテンツ受信装置。
【請求項８】  前記地理的位置情報は、前記位置依存コンテンツに関連する地理的な代表地点を示すコンテンツ代表地点と、前記位置依存コンテンツに関連する地理的な領域を示すコンテンツ存在領域と、前記位置依存コンテンツの地理的な配信範囲を示すコンテンツ配信領域とのいずれかを組み合わせた情報であることを特徴とする請求項６記載のコンテンツ受信装置。
【請求項９】  前記コンテンツ処理部は、前記関心領域に前記コンテンツ代表地点が含まれる前記コンテンツ情報のみを含む前記局所領域リストコンテンツを生成することを特徴とする請求項８記載のコンテンツ受信装置。
【請求項１０】  前記コンテンツ処理部は、前記関心地点が前記コンテンツ配信領域に含まれる前記コンテンツ情報のみを含む前記局所領域リストコンテンツを生成することを特徴とする請求項８記載のコンテンツ受信装置。
【請求項１１】  前記コンテンツ処理部は、前記関心領域と前記コンテンツ存在領域もしくは前記コンテンツ配信領域とが重なる前記コンテンツ情報のみを含む前記局所領域リストコンテンツを生成することを特徴とする請求項８記載のコンテンツ受信装置。
【請求項１２】  前記局所領域リストコンテンツに含まれる前記コンテンツ情報に記述されている前記位置依存コンテンツのメタデータを参照し、所定条件に合致する一つの前記コンテンツ情報を選択し、選択した前記コンテンツ情報に記述されている前記ネットワーク位置情報を出力するコンテンツ選択部と、
指定された前記ネットワーク位置情報が示す前記位置依存コンテンツの取得および表示を行うブラウザ部と、
をさらに有することを特徴とする請求項８記載のコンテンツ受信装置。
【請求項１３】  指定されたコンテンツの取得および表示を行うブラウザ部をさらに有し、
前記リストコンテンツは、ブラウザに表示可能なコンテンツを生成するために必要な情報を含み、
前記局所領域リストコンテンツは、前記コンテンツ情報の内容を表示すると共に、ユーザが所望する前記ネットワーク位置情報が示す前記位置依存コンテンツを取得することができるコンテンツであることを特徴とする請求項８記載のコンテンツ受信装置。
【請求項１４】  地理的な位置情報と関連付けられるコンテンツである位置依存コンテンツと、前記位置依存コンテンツの地理的な位置を示す地理的位置情報および前記位置依存コンテンツのリンク先であるネットワーク位置情報を含むメタ情報コンテンツと、を有するサーバより、前記メタ情報コンテンツを収集するメタ情報コンテンツ収集ステップと、
前記メタ情報コンテンツの前記地理的位置情報に基づいて前記位置依存コンテンツの地理的な分布領域をメッシュ状のエリアに分割し、前記ネットワーク位置情報を含むコンテンツ情報に前記地理的位置情報をインデックスとして付加したコンテンツ情報ブロックを生成し、前記エリア毎に前記コンテンツ情報ブロックをまとめ、これに前記エリアの位置および形状を定義するエリア位置情報をインデックスとして付加したエリア情報ブロックを生成し、前記エリア情報ブロックを列挙した構造を持つリストコンテンツを生成するリストコンテンツ生成ステップと、
前記リストコンテンツを配信するリストコンテンツ配信ステップと、
を具備したことを特徴とするコンテンツ配信方法。
【請求項１５】  前記リストコンテンツ生成ステップは、前記分布領域のメッシュ分割方法を規定するメッシュエリア定義を前記リストコンテンツに付加し、前記エリア位置情報を、前記メッシュエリア定義から算出可能なメッシュインデックス番号で記述することを特徴とする請求項１４記載のコンテンツ配信方法。
【請求項１６】  前記地理的位置情報は、前記位置依存コンテンツに関連する地理的な代表地点を示すコンテンツ代表地点と、前記位置依存コンテンツに関連する地理的な領域を示すコンテンツ存在領域と、前記位置依存コンテンツの地理的な配信範囲を示すコンテンツ配信領域とのいずれかを組み合わせた情報であることを特徴とする請求項１４記載のコンテンツ配信方法。
【請求項１７】  地理的な位置情報と関連付けられるコンテンツである位置依存コンテンツのリンク先である前記ネットワーク位置情報を含むコンテンツ情報に前記地理的位置情報をインデックスとして付加したコンテンツ情報ブロックを地理的なエリア毎にまとめ、これに前記エリアの位置および形状を定義するエリア位置情報がインデックスとして付加されているエリア情報ブロックを列挙した構造を持つリストコンテンツを受信するコンテンツ受信ステップと、
現在地点もしくは検索地点を示す地点位置情報を取得する位置情報取得ステップと、
前記地点位置情報を基準としてコンテンツの地理的な検索条件を設定し、前記検索条件と前記エリア定義情報とを比較することによって、検索対象となる前記エリア情報ブロックを絞り込み、さらに、前記検索条件と前記地理的位置情報とを比較することによって、前記リストコンテンツから、前記検索条件に合致する前記コンテンツ情報の一覧リストである局所領域リストコンテンツを生成するコンテンツ処理ステップと、
を具備したことを特徴とするコンテンツ受信方法。
【請求項１８】  前記リストコンテンツは、前記位置依存コンテンツの分布領域をメッシュ状に分割する方法を定義したメッシュエリア定義を有し、
前記エリア位置情報は、前記メッシュエリア定義から算出可能なメッシュインデックス番号で記述されており、
前記コンテンツ処理ステップは、前記メッシュエリア定義を参照して、前記検索条件に合致するメッシュエリアの前記メッシュインデックス番号を求めることによって、検索対象となる前記エリア情報ブロックを絞り込み、さらに、前記検索条件と前記地理的位置情報とを比較することによって、前記リストコンテンツから前記局所領域リストコンテンツを生成することを特徴とする請求項１７記載のコンテンツ受信方法。
【請求項１９】  前記検索条件は、前記地点位置情報を基準として設定される地理的空間内の一点を示す関心地点、もしくは、前記地点位置情報を基準として設定される地理的空間内の領域を示す関心領域であることを特徴とする請求項１８記載のコンテンツ受信方法。
【請求項２０】  前記地理的位置情報は、前記位置依存コンテンツに関連する地理的な代表地点を示すコンテンツ代表地点と、前記位置依存コンテンツに関連する地理的な領域を示すコンテンツ存在領域と、前記位置依存コンテンツの地理的な配信範囲を示すコンテンツ配信領域とのいずれかを組み合わせた情報であることを特徴とする請求項１８記載のコンテンツ受信方法。
【請求項２１】  地理的な位置情報と関連付けられるコンテンツである位置依存コンテンツと、前記位置依存コンテンツの地理的な位置を示す地理的位置情報および前記位置依存コンテンツのリンク先であるネットワーク位置情報を含むメタ情報コンテンツと、を有するサーバより、前記メタ情報コンテンツを収集するメタ情報コンテンツ収集ステップと、
前記メタ情報コンテンツの前記地理的位置情報に基づいて前記位置依存コンテンツの地理的な分布領域をメッシュ状のエリアに分割してメッシュ分割方法を規定するメッシュエリア定義を生成し、前記ネットワーク位置情報を含むコンテンツ情報に前記地理的位置情報をインデックスとして付加したコンテンツ情報ブロックを生成し、前記エリア毎に前記コンテンツ情報ブロックをまとめ、これに、前記メッシュエリア定義から算出可能なメッシュインデックス番号であるエリア位置情報をインデックスとして付加したエリア情報ブロックを生成し、前記メッシュエリア定義を有し、かつ、前記エリア情報ブロックを列挙した構造を持つリストコンテンツを生成するリストコンテンツ生成ステップと、
前記リストコンテンツを配信するリストコンテンツ配信ステップと、
をコンピュータに行わせることを特徴とするプログラム。
【請求項２２】  地理的な位置情報と関連付けられるコンテンツである位置依存コンテンツのリンク先である前記ネットワーク位置情報を含むコンテンツ情報に前記地理的位置情報をインデックスとして付加したコンテンツ情報ブロックを地理的なエリア毎にまとめ、これに前記エリアの位置および形状を定義するエリア位置情報がインデックスとして付加されているエリア情報ブロックを列挙した構造を持つリストコンテンツを受信するコンテンツ受信ステップと、
現在地点もしくは検索地点を示す地点位置情報を取得する位置情報取得ステップと、
前記地点位置情報を基準としてコンテンツの地理的な検索条件を設定し、前記検索条件と前記エリア定義情報とを比較することによって、検索対象となる前記エリア情報ブロックを絞り込み、さらに、前記検索条件と前記地理的位置情報とを比較することによって、前記リストコンテンツから、前記検索条件に合致する前記コンテンツ情報の一覧リストである局所領域リストコンテンツを生成するコンテンツ処理ステップと、
をコンピュータに行わせることを特徴とするプログラム。
【請求項２３】  前記リストコンテンツは、前記位置依存コンテンツの分布領域をメッシュ状に分割する方法を定義したメッシュエリア定義を有し、
前記エリア位置情報は、前記メッシュエリア定義から算出可能なメッシュインデックス番号で記述されており、
前記コンテンツ処理ステップは、前記メッシュエリア定義を参照して、前記検索条件に合致するメッシュエリアの前記メッシュインデックス番号を求めることによって、検索対象となる前記エリア情報ブロックを絞り込み、さらに、前記検索条件と前記地理的位置情報とを比較することによって、前記リストコンテンツから前記局所領域リストコンテンツを生成することを特徴とする請求項２２記載のプログラム。
【請求項２４】  請求項２１または請求項２２記載のプログラムを記憶したコンピュータ読み取り可能な記憶媒体。
【手続補正２】
【補正対象書類名】明細書
【補正対象項目名】００１１
【補正方法】変更
【補正の内容】
【００１１】
【課題を解決するための手段】
本発明は、地理的な位置情報と関連付けられるコンテンツである位置依存コンテンツと、前記位置依存コンテンツの地理的な位置を示す地理的位置情報および前記位置依存コンテンツのリンク先であるネットワーク位置情報を含むメタ情報コンテンツとを有するサーバより、前記メタ情報コンテンツを収集した後に、前記メタ情報コンテンツの地理的位置情報に基づいて前記位置依存コンテンツの地理的な分布領域をメッシュ状のエリアに分割し、前記ネットワーク位置情報を含むコンテンツ情報に前記地理的位置情報をインデックスとして付加したコンテンツ情報ブロックを生成し、さらに、前記エリア毎に前記コンテンツ情報ブロックをまとめたものに前記エリアの位置および形状を定義するエリア位置情報をインデックスとして付加したエリア情報ブロックを生成し、前記エリア情報ブロックを列挙した構造を持つリストコンテンツを生成するようにしたものである。
【手続補正３】
【補正対象書類名】明細書
【補正対象項目名】００１２
【補正方法】変更
【補正の内容】
【００１２】
これにより、位置情報と関連付けられるコンテンツに関して、位置情報に基づいてコンテンツのメタデータを階層的に整理したコンテンツ一覧リストを端末に配信することができる。この結果、地理的な位置条件によって効率的にコンテンツを検索することが可能なコンテンツ配信環境を、ユーザに対して提供することができる。